(57)【要約】【課題】意匠的にシステムキッチンと一体感が得られ、操作部のスッキリ感が得られる加熱調理器を提供する。【解決手段】  本体前面２に配置され前面に開口部を設け被加熱物を３０加熱する調理庫２６と、前記開口部を塞ぐドア３２と、ドア３２に隣接した位置に閉めた時に前面側に向いた操作前面パネル５０を設けた調理庫２６の加熱条件を設定する開閉可能な操作部５とを備えた加熱調理器において、操作部前面パネル５０には前面に上辺５８の表角部５８ａを露出したパネル５１を設けた【選択図】  図８
2015004446.tif 000002
【特許請求の範囲】
【請求項１】
本体前面に配置され前面に開口部を設け被加熱物を加熱する調理庫と、
前記開口部を塞ぐドアと、
該ドアに隣接した位置に閉めた時に前面側に向いた操作前面パネルを設けた前記調理庫の加熱条件を設定する開閉可能な操作部と、を備えた加熱調理器において、
前記操作部前面パネルには前面に上辺の表角部を露出したパネルを設けたことを特徴とする加熱調理器。
【請求項２】
キッチンに組み込まれる本体と、
該本体の前面に配置され、被加熱物を加熱できる調理庫と、
該調理庫と隣接するように前記本体の前面に配置され、前記調理庫を操作する操作部と、
を備えた加熱調理器であって、
前記操作部の前面には取り付け台を介してガラスパネルが設置されており、該ガラスパネルの上端表角部は露出しており、該ガラスパネルの上端裏角部は隠されていることを特徴とする加熱調理器。
【請求項３】
請求項２に記載の加熱調理器において、
前記ガラスパネルはミラー状であることを特徴とする加熱調理器。
【請求項４】
キッチンに組み込まれる本体と、
該本体の前面に配置され、被加熱物を加熱できる調理庫と、
該調理庫と隣接するように前記本体の前面に配置され、前記調理庫を操作する操作部と、
を備えた加熱調理器であって、
前記操作部の前面には取り付け台を介してカラーパネルが設置されており、該カラーパネルの上端表角部は露出しており、該カラーパネルの上端裏角部は隠されていることを特徴とする加熱調理器。
【発明の詳細な説明】
【技術分野】
【０００１】
本発明は、システムキッチンに組み込まれ、操作部を備えた加熱調理器に関するものである。
【背景技術】
【０００２】
従来のこの種の加熱調理器においては、キッチンキャビネットの上面の穴から本体を落とし込んで設置され、設置後はオーブンと操作部と電源スイッチがキッチンキャビネットの前面部から操作できるようになっている。
【０００３】
そこで、特許文献1に示すように、本体正面には、オーブンの開口部を塞ぐドアと電源スイッチを配置した前面パネルと操作部を開閉式にして未使用時は操作部前面パネルが配置されている。
【０００４】
そして、この前面パネルと操作部前面パネルとは意匠的に配慮されたものである。
【先行技術文献】
【特許文献】
【０００５】
【特許文献１】特開２０１３−８９４３２号公報
【発明の概要】
【発明が解決しようとする課題】
【０００６】
近年、個人の嗜好に合わせて、キッチン（流し台）のデザインにおいても多品種になり、キッチンの正面側のドアなどの面材に、材質面ではガラスが選択可能になり、色の選択においては好みの色が得られるようになって来ている。
【０００７】
また、そこに組み込まれる加熱調理器にも統一されたデザインが要求されている。
【０００８】
特許文献１の加熱調理器では、オーブンの開口部を塞ぐドアは内部を見えるようにガラスで構成され、前面パネルと操作部前面パネルは化粧パネルで構成されたもので、前面の左右で質感などが大きく異なる課題があった。
【課題を解決するための手段】
【０００９】
本発明は上記の課題を解決するためになされたものである。本体前面に配置され前面に開口部を設け被加熱物を加熱する調理庫と、前記開口部を塞ぐドアと、該ドアに隣接した位置に閉めた時に前面側に向いた操作前面パネルを設けた前記調理庫の加熱条件を設定する開閉可能な操作部とを備えた加熱調理器において、前記操作部前面パネルには前面に上辺の表角部を露出したパネルを設けたものである。
【発明の効果】
【００１０】
本発明によれば、意匠的にシステムキッチンと一体感が得られ、操作部のスッキリ感が得られる。
【図面の簡単な説明】
【００１１】
【図１】一実施例に係る加熱調理器をシステムキッチンに収納した状態の斜視図。
【図２】図１のＡ−Ａ断面図。
【図３】図１のＢ−Ｂ断面図。
【図４】一実施例に係わる加熱調理器をシステムキッチンに収納した状態の正面図。
【図５】同オーブンのドアの斜視図。
【図６】同操作ユニット、パネル部の展開図。
【図７】同操作部前面パネルの正面図。
【図８】操作部前面パネルにガラスパネルを使用、（イ）図７のＥ部Ｃ−Ｃ断面拡大図、（ロ）図８のＦ部Ｃ−Ｃ断面拡大図。
【図９】操作部前面パネルにカラーパネルを使用、（イ）図７のＥ部Ｃ−Ｃ断面拡大図、（ロ）図８のＦ部Ｃ−Ｃ断面拡大図。
【発明を実施するための形態】
【００１２】
以下、本発明の実施例を図１から図９に従って説明する。なお、本実施例はシステムキッチンに嵌め込むビルトイン型の加熱調理器である。
【００１３】
図１において、加熱調理器の本体２は、システムキッチン１の上面の天板１ａの穴から落とし込んで設置され、設置後は本体２の後述するオーブン（ロースター）４と操作部５がシステムキッチン１の天板１ａの下方の前面部から操作できるようになっており、操作部５は主にオーブン４の電源の入・切やメニューの選択・設定、操作を行う。
【００１４】
調理を行う際の調理鍋（図示せず）は、本体２の上面に配置された耐熱ガラス等からなるプレート３上に載置され、プレート３の周囲端面は、プレート枠１４によって保護されている。
【００１５】
プレート３には載置部６が描かれており、該載置部６に調理鍋を載置することにより調理可能となる。載置部６は、プレート３の上面手前の右に載置部右６ａ、左に載置部左６ｂが配置され、これら両載置部６ａ、６ｂ間の奥（中央後部）に載置部中央６ｃが配置されている。そして、プレート３を挟んで各載置部６の下に位置するように、本体２内の上部に調理鍋を誘導加熱する加熱コイルユニット２５（図２）が設置されている。
【００１６】
また、プレート３の前面側には、上面操作部９とその奥側に位置する上面表示部１０が設けられており、上面操作部９は主に加熱コイルユニット２５（図２）の操作を行う。
【００１７】
図３において、本体２の内部には、発熱部品である加熱コイルユニット２５や電子部品、および、これらの発熱部品を冷却するための送風ファン１２が配置されている。
【００１８】
本体２の前の前吸気口７ｂと、本体２の後部の後吸気口７ａから送風ファン１２の駆動によって外気を吸引する。そして、発熱部品である加熱コイルユニット２５や電子部品を冷却した後の廃熱を本体２外に排出する排気口８が設けられている。なお、排気口８からは、後述するオーブン４の廃熱も同時に排出される。
【００１９】
図１において、オーブン４は魚や肉、ピザ等の被加熱物を焼くためのもので、本体２の前記加熱部の下方に位置し、前面部の左側若しくは右側に配置されている（本実施例では、本体２の左側に配置されている。）。なお、オーブンは、呼び名としてロースター、グリルと呼ぶこともある。
【００２０】
図２において、オーブン４について説明する。オーブン４の調理庫２６は、前面に被加熱物３０を出し入れするための開口部である出入り口２６ｄを設けた箱型をしており、内部の上部と下部には被加熱物３０を加熱する加熱手段であるシーズヒータ等の発熱体よりなる上・下ヒータ２７（上ヒータ２７ａ、下ヒータ２７ｂ）が設置されている。出入り口２６ｄの周囲に外郭部材（図示せず）が設けられ、後述のドア３２が押し当てられる。
【００２１】
上ヒータ２７ａ、下ヒータ２７ｂを制御する制御部４５は、オーブン４の上面で、該オーブン４からの熱の影響を受けない場所に配置されており、操作部５や上面操作部９とも連なっている。
【００２２】
また、調理庫２６の出入り口２６ｄは、ドア３２によって塞がれており、ドア３２の表側にハンドル１１が取り付けられ、裏側に受け皿支持部３１ａの前面に設けたツメに引っ掛けて着脱自在に連結されている。受け皿支持部３１ａは調理庫２６に固定されたスライド式レール（図示せず）に固定されている。その受け皿支持部３１ａの上面には着脱自在に受け皿３１が載置されている。受け皿３１は、調理庫２６内にその前面開口部から出し入れ自在に収納されている。さらに、受け皿３１には焼き網３３が載せられる構成をなし、被加熱物３０が焼き網３３の上に載せられるようになっている。
【００２３】
次に図５において、ドア３２について説明する。
【００２４】
３２ａは透明のドアガラスで、略中央部に透明部６０ａを配置し、透明部６０ａの周囲は塗装によって黒色等に着色された着色部６０ｂを配置する。透明部６０ａはドア３２の外側から、調理庫２６の内部の被加熱物３０の様子等を透視するためのものである。着色部６０ｂは、本体２と調理庫２６の構成部品を本体２前面側から見えないようにして意匠的に向上させるものである。
【００２５】
１１はハンドルで、ドアガラス３２ａの前側に設けてドアガラス３２ａを保持し、前側でドア３２の開閉操作を行うものである。ハンドル１１は手を掛けたときに熱く感じる感触や皮膚への刺激を和らげるために樹脂を成形して構成している。
【００２６】
枠体６１は、ドア３２の最も奥側に配置して調理庫２６側に押し当てて出入り口２６ｄを塞ぎ、調理庫２６の熱を受けるためステンレス製の板金で上下左右の面を前側に折り曲げた箱型である。上部の折り返し部６１ａでドアガラス３２ａを保持し、ネジ（図示せず）によりハンドル１１と固定することにより、ハンドル１１と枠体６１でドアガラス３２ａを固定してドア３２を構成する。
【００２７】
図１、図３、図４、図６〜図９において、本体２の前面に配置する前面パネル１８と操作部前面パネル５０について説明する。
【００２８】
ここでは、オーブン４の右側に設け、オーブン４の操作を行う操作部５は、操作部ケース１７の中にヒンジ部３１を支点に回転して出し入れする所謂カンガルーポケット式である。図1は操作部５が操作部ケース１７から出た状態で、操作面５ａで操作する状態を示し、図３は操作部５が操作部ケース１７に収納された状態を示す。また、図４は操作部５が操作部ケース１７に収納された状態の正面を示している。
【００２９】
ここでは、操作部５に操作部前面パネル５０を取り付けて、本体２の正面を構成する例を示す。
【００３０】
図４において、システムキッチン１に組み込まれた本体２の正面には、ドア３２のドアガラス３２ａ、ハンドル１１、ドア３２の右に隣接して、操作部前面パネル５０とその上部に配置した前面パネル１８によって意匠を構成している。
【００３１】
図６において、操作ユニット５６に対するパネル部５５の取り付けを説明する。操作部ケース１７には、電源スイッチ１９と操作部５を備え、操作ケース１７の前側には、電源スイッチ１９をのぞませるように穴１８ａを設けた前面パネル１８を取り付けている。また、操作部ケース１７に収納する操作部５の操作部前面５ｂに操作部前面パネル５０を取り付けている。操作部５は操作部前面パネル５０を取り付けた状態でヒンジ部３１を支点に回転するものである。
【００３２】
次に、前面パネル１８と操作部前面パネル５０の構造を説明する。
【００３３】
前面パネル１８は、電源スイッチ１９を構成する電源操作面１８ｃと後述する操作部前面パネル５０と同じ意匠を施した電源操作面パネル１８ｂから構成している。
【００３４】
操作部前面パネル５０は、図７に示すように樹脂性の取り付け台５２にパネル５１が取り付けられたものである。そしてパネル５１は、意匠の仕様に応じて変更（取替え）可能で、図８に示すガラス製のガラスパネル５３と図９に示すカラー鋼板や塗装した鋼板製のカラーパネル６１とをシステムキッチン１の意匠に合わせることができる。
【００３５】
次に、パネル５１と取り付け台５２について詳細に説明する。
【００３６】
図８と図９は、図７に示す操作部前面パネル５０の上部側Ｅ部と下部側Ｆ部のＣ-Ｃ断面の各拡大図を示し、Ｅ部の断面拡大図が図８と図９の（イ）を示し、Ｆ部の断面拡大図が図８と図９の（ロ）を示す。また、図７に示す５７〜６０はパネル５１の各辺を示し、５７が左辺、５８が上辺、５９が右辺、６０が下辺を示す。
【００３７】
初めに図８について説明する。
【００３８】
図８では、パネル５１にガラスパネル５３を使用した操作部前面パネル５０の実施例を示している。
【００３９】
操作部前面パネル５０は、前述したように、取り付け台５２にガラスパネル５３（パネル５１）を取り付けた構成で、その取り付け方法は、取り付け台５２の下部側にガラスパネル５３の下辺６０を保持する凹状の保持部５２ｂと、上部側にガラスパネル５３の上辺５８を受けるＬ字状の受け部５２ａとを備え、ガラスパネル５３の固定は、ガラスパネル５３の下辺６０を取り付け台５２の保持部５２ｂに挿入し、ガラスパネル５３の上辺５８を取り付け台５２の受け部５２ａに合わせて挿入する。挿入時は、ガラスパネル５３の背面５３ａと取り付け台５２とを両面テープ５４にて固定している。ガラスパネル５３の上辺５８の表角部５８ａはＣ面カットで構成し、取り付け台５２の受け部５２ａは前記表角部５８ａのＣ面カット部に達しない高さとなっている。そのため、上辺５８の表角部５８ａ（上端表角部）は露出し、調理者より見え、上端裏角部が隠された構造となっている。なお、ガラスパネル５３として、ミラー状のガラスパネルを用いても良い。
【００４０】
次に、ガラスパネル５３に代えてカラーパネル６１を採用した例について図９を用いて説明する。
【００４１】
取り付け台５２は前述した前記構成と同じ。ガラスパネル５３に代えてカラーパネル６１を前記同様に固定している。カラーパネル６１の構成は、表面に意匠を施したパネル部材６１ｂと、ガラスパネル５３と厚みを合わせる様にパネル部材６１ｂの裏面に基材６１ｄが固定されている。そして、各辺（図９では上辺５８と下辺６０）は基材６１ｄの側面側にパネル部材６１ｂを折り曲げて表角部５８ａにパネル部材６１ｂが見える構成としている。
【００４２】
以上の本発明の構成によって、調理する状態を説明する。
【００４３】
オーブン４のドア３２のハンドル１１を引くと、ドア３２と係止してスライドレールに固定された受け皿支持部３１ａが引き出され、受け皿支持部３１ａに載置した受け皿３１と、受け皿３１に載置した焼き網３３が調理庫２６の外に現れる。焼き網３３に被加熱物３０を載置してドア３２を閉める。操作部前面パネル５０を軽く押し込むことによりラッチ（図示無し）が外れて操作部５が操作部ケース１７から出て、操作面５ａが現れてくる。操作部５で調理の設定や加熱開始を操作する。上・下ヒータ２７によって被加熱物３０が加熱されて調理ができる。調理中に焼き色、焼け具合をドア３２の外側から調理庫２６の内部を見て、焼き色や、焼け具合、被加熱物の火の通り具合を観察して、裏返す必要のあるものは、裏返すなどの進捗に応じた作業をする。目視した状態でよければ、火を止めてオーブン４のドア３２を開けて、引き出された焼き網３３に載置した被加熱物３０を取り上げる。ドア３２を閉め、操作部５を操作部ケース１７の中に収納するように戻す。
【００４４】
以上、本実施例によれば、使用者が本体２の前面に立って、本体２の前面部を見たとき、パネル５１の上辺５８の前面側に樹脂でできた取り付け台５２が無く、システムキッチン１と同質の材質で同様の意匠を施したパネル５１が目に付くことで、意匠的にシステムキッチンと一体感が得られ、また、操作部前面パネル５０を見下ろした時、パネル５１の表角部５８ａに樹脂性の取り付け台５２が無いことで、操作部５を開閉したときに操作部前面パネル５０が薄く感じ操作部５のスッキリ感が得られる。
【符号の説明】
【００４５】
２  本体、５  操作部、２６  調理庫、３２  ドア、３２ａ  ドアガラス、
５０  操作部前面パネル、５１  パネル、５２  取り付け台、５３  ガラスパネル、
５８  上辺、５８ａ  表角部、６０  下辺、６１  カラーパネル、
【図１】
2015004446.tif 000003
【図２】
2015004446.tif 000004
【図３】
2015004446.tif 000005
【図４】
2015004446.tif 000006
【図５】
2015004446.tif 000007
【図６】
2015004446.tif 000008
【図７】
2015004446.tif 000009
【図８】
2015004446.tif 000010
【図９】
2015004446.tif 000011